(57)【要約】【課題】可視光の波長帯とは異なる波長帯の光を外部に漏らすことなく照射可能な構成を提供する。【解決手段】読取口１３を介して可視光Ｌｆ１を照射可能な第１照明光源２１と紫外光Ｌｆ２を照射可能な第２照明光源２２とが筐体１１内に配置されている。筐体１１には、読取口１３を囲い、当該読取口１３を情報コードＣに近づけたときに表示媒体の表示面Ｒに対して先端部１４ａにて環状に接触可能な環状壁部１４が設けられている。そして、先端部１４ａが表示面Ｒに環状に接触する環状接触状態であると判定されるとともに、情報コードＣの解読が成功していると判定されて、上記許可情報が取得されると、制御部４０により第２照明光源２２が制御されて紫外光Ｌｆ２が照射される。【選択図】図６
2019053454.tif 000002
【特許請求の範囲】
【請求項１】
表示媒体に表示される情報コードを光学的に読み取る光学的情報読取装置であって、
読取口が設けられる筐体と、
前記筐体内に配置されて、前記読取口を介して第１波長帯の光を照射可能な第１照明部と、
前記筐体内に配置されて、前記読取口を介して前記第１波長帯の光と異なる第２波長帯の光を照射可能な第２照明部と、
前記第１照明部及び前記第２照明部を制御する照明制御部と、
前記読取口を介して撮像する撮像部と、
前記第１波長帯の光が照射された状態で前記撮像部によって撮像された前記情報コードを解読するための解読部と、
前記第２波長帯の光が照射された状態で前記撮像部によって撮像された撮像画像を利用した所定の処理を行う処理部と、
を備え、
前記筐体には、前記読取口を囲い、当該読取口を前記情報コードに近づけたときに前記表示媒体に対して先端部にて環状に接触可能な環状壁部が設けられ、
前記先端部が前記表示媒体に環状に接触する環状接触状態であるか否かについて判定する第１判定部と、
前記解読部による前記情報コードの解読が成功しているか否かについて判定する第２判定部と、を備え、
前記照明制御部は、前記第１判定部により前記環状接触状態であると判定されるとともに、前記第２判定部により前記解読部による前記情報コードの解読が成功していると判定されると、前記第２照明部を制御して前記第２波長帯の光を照射することを特徴とする光学的情報読取装置。
【請求項２】
前記照明制御部は、前記第１判定部により前記環状接触状態であると判定された後に、前記第２判定部により前記解読部による前記情報コードの解読が成功していると判定されると、前記第２照明部を制御して前記第２波長帯の光を照射することを特徴とする請求項１に記載の光学的情報読取装置。
【請求項３】
前記第１判定部は、前記先端部に設けられて前記環状接触状態時に前記表示媒体との接触を検知する接触センサを備え、当該接触センサの検知結果に基づいて、前記環状接触状態であるか否かについて判定することを特徴とする請求項１又は２に記載の光学的情報読取装置。
【請求項４】
前記第１判定部は、前記環状壁部に設けられて前記表示媒体までの距離を測定する距離センサを備え、当該距離センサの測定結果に基づいて、前記環状接触状態であるか否かについて判定することを特徴とする請求項１又は２に記載の光学的情報読取装置。
【請求項５】
前記第１判定部は、前記撮像画像に占める前記情報コードの大きさ又は当該情報コードを構成するセルの大きさに基づいて、前記環状接触状態であるか否かについて判定することを特徴とする請求項１又は２に記載の光学的情報読取装置。
【請求項６】
前記第２波長帯の光は、紫外光であることを特徴とする請求項１〜５のいずれか一項に記載の光学的情報読取装置。
【請求項７】
前記情報コードは、所定のコード領域の内部に明色セル及び暗色セルを配列して構成され、前記コード領域の内部に、予め定められた形状の特定パターンが配置される特定パターン領域と、複数の前記明色セル及び前記暗色セルによって所定の情報が記録される情報記録領域と、前記明色セル及び前記暗色セルによって情報が記録されない空き領域とが設けられて形成され、
前記処理部は、前記第２波長帯の光が照射された状態で前記撮像部によって撮像された撮像画像のうち前記空き領域内にて撮像される情報を利用して前記所定の処理を行うことを特徴とする請求項１〜６のいずれか一項に記載の光学的情報読取装置。
【請求項８】
前記情報コードには、前記第２照明部による前記第２波長帯の光の照射を許可する許可情報が記録され、
前記照明制御部は、前記第１判定部により前記環状接触状態であると判定されるとともに、前記第２判定部により前記解読部による前記情報コードの解読が成功することで前記許可情報が取得されたと判定されると、前記第２照明部を制御して前記第２波長帯の光を照射することを特徴とする請求項１〜７のいずれか一項に記載の光学的情報読取装置。
【発明の詳細な説明】
【技術分野】
【０００１】
本発明は、光学的情報読取装置に関するものである。
【背景技術】
【０００２】
現在、バーコードやＱＲコード（登録商標）などの情報コードが様々な用途で使用されており、その使用目的も多様化しつつある。特に、近年では、可視光だけでなく、可視光の波長帯とは異なる波長帯の光を照射した状態の撮像画像を利用して所定の処理を行う用途も増えてきている。このような、可視光と異なる第２波長帯の光を照射した情報の読み取りに関する技術として、例えば、下記特許文献１に開示される情報コード読取装置が知られている。
【０００３】
この情報コード読取装置の読み取り対象となる情報コード表示体は、コード形成対象物に対して可視光が当てられているときに情報コードが表示されずに透明状態で維持され、可視光の波長帯とは異なる第１波長帯の照射光が当てられたときに第２波長帯の光によって情報コードの像が生成される。そして、情報コード読取装置は、第１波長帯の照明光を照射可能な照明光源を有し、情報コード表示体に対して第１波長帯の照明光が照射されているときの受光センサでの受光結果に基づいて、情報コードを解読する。
【先行技術文献】
【特許文献】
【０００４】
【特許文献１】特開２０１４−０７１４６５号公報
【発明の概要】
【発明が解決しようとする課題】
【０００５】
ところで、可視光の波長帯とは異なる波長帯の光、例えば、所定の波長帯の紫外光は、人体に悪影響を与える可能性がある。このため、可視光の波長帯とは異なる波長帯の光を照射する必要がある光学的情報読取装置であれば、その波長帯の光が読取対象以外には照射されないような構造が必要となる。
【０００６】
本発明は、上述した課題を解決するためになされたものであり、その目的とするところは、可視光の波長帯とは異なる波長帯の光を外部に漏らすことなく照射可能な構成を提供することにある。
【課題を解決するための手段】
【０００７】
上記目的を達成するため、特許請求の範囲の請求項１に記載の発明は、
表示媒体（Ｒ）に表示される情報コード（Ｃ，Ｃａ）を光学的に読み取る光学的情報読取装置（１０）であって、
読取口（１３）が設けられる筐体（１１）と、
前記筐体内に配置されて、前記読取口を介して第１波長帯の光（Ｌｆ１）を照射可能な第１照明部（２１）と、
前記筐体内に配置されて、前記読取口を介して前記第１波長帯の光と異なる第２波長帯の光（Ｌｆ２）を照射可能な第２照明部（２２）と、
前記第１照明部及び前記第２照明部を制御する照明制御部（４０）と、
前記読取口を介して撮像する撮像部（２３）と、
前記第１波長帯の光が照射された状態で前記撮像部によって撮像された前記情報コードを解読するための解読部（４０）と、
前記第２波長帯の光が照射された状態で前記撮像部によって撮像された撮像画像を利用した所定の処理を行う処理部（４０）と、
を備え、
前記筐体には、前記読取口を囲い、当該読取口を前記情報コードに近づけたときに前記表示媒体に対して先端部（１４ａ）にて環状に接触可能な環状壁部（１４）が設けられ、
前記先端部が前記表示媒体に環状に接触する環状接触状態であるか否かについて判定する第１判定部（４０）と、
前記解読部による前記情報コードの解読が成功しているか否かについて判定する第２判定部（４０）と、を備え、
前記照明制御部は、前記第１判定部により前記環状接触状態であると判定されるとともに、前記第２判定部により前記解読部による前記情報コードの解読が成功していると判定されると、前記第２照明部を制御して前記第２波長帯の光を照射することを特徴とする。
なお、上記各括弧内の符号は、後述する実施形態に記載の具体的手段との対応関係を示すものである。
【発明の効果】
【０００８】
請求項１の発明では、読取口を介して第１波長帯の光を照射可能な第１照明部と第２波長帯の光を照射可能な第２照明部とが筐体内に配置されている。筐体には、読取口を囲い、当該読取口を情報コードに近づけたときに表示媒体に対して先端部にて環状に接触可能な環状壁部が設けられている。そして、第１判定部により先端部が表示媒体に環状に接触する環状接触状態であると判定されるとともに、第２判定部により解読部による情報コードの解読が成功していると判定されると、照明制御部により第２照明部が制御されて第２波長帯の光が照射される。
【０００９】
これにより、環状壁部の先端部が表示媒体に環状に接触し、かつ、情報コードの解読が成功する場合、すなわち、読み取り成功した情報コードが環状壁部により完全に覆われた状態である場合に限り、第２波長帯の光が照射されるので、第２波長帯の光が環状壁部により構成される閉鎖空間から漏れることはない。例えば、表示媒体と異なる媒体等に環状壁部の先端部が環状に接触しても情報コードが解読されない場合には、環状壁部により上記閉鎖空間が構成されていない可能性があるとして、第２波長帯の光が照射されることはない。また、読取口を情報コードに近づけている途中でその情報コードの解読が成功したとしても、環状壁部の先端部が表示媒体に環状に接触していない場合には、環状壁部により上記閉鎖空間が構成されていない可能性があるとして、第２波長帯の光が照射されることはない。したがって、可視光の波長帯とは異なる第２の波長帯の光を利用する際、その第２の波長帯の光が人体に悪影響を与える可能性があっても、その第２の波長帯の光を上記閉鎖空間を利用して外部に漏らすことなく照射可能な光学的情報読取装置を実現することができる。
【００１０】
請求項２の発明では、第１判定部により環状接触状態であると判定された後に、第２判定部により解読部による情報コードの解読が成功していると判定されると、照明制御部により第２照明部が制御されて第２波長帯の光が照射される。
【００１１】
これにより、表示媒体に環状壁部の先端部が環状に接触している状態で情報コードの解読成否が判定されるため、情報コードの解読が成功している場合には、その解読成功した情報コードが上述のように構成される閉鎖空間内に確実に位置していると判断できるので、その状態で第２波長帯の光が照射されたとしても、その第２波長帯の光を外部に漏れることを確実に防止することができる。
【００１２】
請求項３の発明では、第１判定部は、先端部に設けられて環状接触状態時に表示媒体との接触を検知する接触センサの検知結果に基づいて、上記環状接触状態であるか否かについて判定する。これにより、先端部と表示媒体との接触状態をより精度良く検知でき、第１判定部による判定精度を高めることができる。
【００１３】
請求項４の発明では、第１判定部は、環状壁部に設けられて表示媒体までの距離を測定する距離センサの測定結果に基づいて、上記環状接触状態であるか否かについて判定する。これにより、上記環状接触状態時に距離センサにて測定される距離を基準として先端部と表示媒体との接触状態をより精度良く検知でき、第１判定部による判定精度を高めることができる。
【００１４】
請求項５の発明では、第１判定部は、撮像画像に占める情報コードの大きさ又は当該情報コードを構成するセルの大きさに基づいて、上記環状接触状態であるか否かについて判定する。
【００１５】
撮像画像に占める情報コードやそのセルの大きさはその情報コードまでの距離が近くなるほど大きくなるので、情報コードやそのセルの実際の大きさが分かっていれば、その情報コードまでの距離を推定することができる。このため、情報コードに含まれるバージョン情報等を利用してその情報コードやセルの実際の大きさを把握することで、撮像画像に占める情報コードの大きさ又はセルの大きさからその情報コードまでの距離が推定され、この推定された情報コードまでの距離に基づいて、先端部と表示媒体とが環状接触状態であるか否かを判定することができる。これにより、接触センサや距離センサ等の専用のセンサを別途設けることなく、上記環状接触状態であるか否かについて判定することができる。
【００１６】
請求項６の発明では、第２波長帯の光は、紫外光であるため、人体に悪影響を与える可能性がある紫外光を照射する場合でも、上記閉鎖空間を利用することでその紫外光を外部に漏らすことなく照射することができる。
【００１７】
請求項７の発明では、情報コードは、そのコード領域の内部に、特定パターン領域と情報記録領域と空き領域とが設けられて形成される。そして、第２波長帯の光が照射された状態で撮像部によって撮像された撮像画像のうち空き領域内にて撮像される情報を利用して、処理部により所定の処理が行われる。
【００１８】
これにより、上記空き領域内に第２波長帯の光が照射された状態での撮像される所定の情報を設けることで、上記閉鎖空間が構成される場合には、第２波長帯の光が照射された状態での撮像される撮像画像には確実に上記所定の情報が含まれる。このため、上記所定の情報が視認できないような情報等であっても、上記環状接触状態では当該所定の情報を確実に撮像範囲とすることができる。
【００１９】
請求項８の発明では、情報コードには、第２照明部による第２波長帯の光の照射を許可する許可情報が記録される。そして、第１判定部により環状接触状態であると判定されるとともに、第２判定部により解読部による情報コードの解読が成功することで上記許可情報が取得されたと判定されると、照明制御部により第２照明部が制御されて第２波長帯の光が照射される。
【００２０】
これにより、処理部により上記所定の処理を行わせるきっかけとなる情報コードのみに上記許可情報を記録することで、上記閉鎖空間を構成した状態にて許可情報が記録されていない情報コードを読み取っても、第２波長帯の光が照射されることはないので、不要な第２波長帯の光の照射を防止することができる。
【図面の簡単な説明】
【００２１】
【図１】第１実施形態に係る光学的情報読取装置を示す正面図である。
【図２】図１の光学的情報読取装置の側面図である。
【図３】環状壁部を利用して構成される閉鎖空間を説明するための一部断面図である。
【図４】図１の光学的情報読取装置の電気的構成を概略的に例示するブロック図である。
【図５】情報コード及び紫外線読取情報が表示される表示媒体の表示面を説明する説明図である。
【図６】第１実施形態において制御部にて実行される読取処理の流れを例示するフローチャートである。
【図７】第２実施形態において閉鎖空間を検知する構成を説明するための一部断面図である。
【図８】第３実施形態において制御部にて実行される読取処理の流れを例示するフローチャートである。
【図９】第４実施形態において情報コードに対する紫外線読取情報の位置を説明する説明図である。
【発明を実施するための形態】
【００２２】
［第１実施形態］
以下、本発明の第１実施形態に係る光学的情報読取装置について、図面を参照して説明する。
図１及び図２に示す光学的情報読取装置１０は、情報コード（バーコード及び二次元コード等）や文字情報等の光学的情報を光学的に読み取る携帯型の読取装置として構成されるものであり、いわゆるガンタイプとしての外観をなし、ＡＢＳ樹脂等の合成樹脂からなる筐体１１の内部に各種電気部品等からなる回路部２０が収容されている。
【００２３】
光学的情報読取装置１０は、照明光及びその反射光を通過させる読取口１３が形成されてなる本体部１２と、本体部１２における読取口１３が形成される部位とは異なる部位に連結されて使用者によって把持される把持部１５と、を備えている。把持部１５は、本体部１２の下側の壁部から下方に延びており、把持部１５の上端部付近に押圧操作可能なトリガースイッチ４２が配置され、把持部１５の下端部付近にはインタフェース用のケーブル（図示略）が組み付けられる構造となっている
【００２４】
本体部１２には、読取口１３を囲うように環状壁部１４が設けられている。この環状壁部１４は、先端部１４ａが平面に対して環状に面接触可能であって、先端部１４ａを平面に対して環状に面接触させた環状接触状態であるときにその平面とにより読取口１３が囲まれる閉鎖空間Ｓを構成するように形成されている。このため、例えば、図３に例示するように、情報コードＣ等が表示される平面状の表示面Ｒに対して情報コードＣを囲うようにして先端部１４ａを表示面Ｒに対して環状に面接触させると、環状壁部１４と表示面Ｒとにより外部から光が入り込まない閉鎖空間Ｓが構成される。
【００２５】
次に、光学的情報読取装置１０の電気的構成について、図面を参照して説明する。
図４に示すように、筐体１１に収容される回路部２０は、主に、第１照明光源２１、第２照明光源２２、受光センサ２３、結像レンズ２５等の光学系と、メモリ３５、制御部４０等のマイクロコンピュータ（以下「マイコン」という）系とを備えている。
【００２６】
光学系は、投光光学系と、受光光学系とに分かれている。投光光学系は、可視光Ｌｆ１を照射する第１照明光源２１と紫外光Ｌｆ２を照射する第２照明光源２２とを備えるように構成されている。第１照明光源２１は、可視光Ｌｆ１を第１波長帯の光として読取口１３を介して照射する第１照明部として機能するように、照明基板等に実装されている。この第１照明光源２１は、少なくとも先端部１４ａにより囲まれる平面に対して可視光Ｌｆ１を照射するように配置されている。
【００２７】
第２照明光源２２は、紫外光Ｌｆ２を上記第１波長帯の光と異なる第２波長帯の光として読取口１３を介して照射する第２照明部として機能するように、照明基板等に実装されている。この第２照明光源２２は、少なくとも先端部１４ａにより囲まれる平面に対して紫外光Ｌｆ２を照射するように配置されている。
【００２８】
受光光学系は、受光センサ２３、結像レンズ２５などによって構成されている。受光センサ２３は、例えば、Ｃ−ＭＯＳやＣＣＤ等の固体撮像素子である受光素子を二次元に配列したエリアセンサとして構成されるものであり、方形状の受光領域として受光面２３ａを有するように構成されている。この受光センサ２３は、結像レンズ２５を介して入射する入射光を受光面２３ａにて受光可能にプリント配線板（図示略）に実装されている。なお、受光センサ２３は、「撮像部」の一例に相当し得る。
【００２９】
結像レンズ２５は、外部から読取口１３を介して入射する入射光を集光して受光センサ２３の受光面２３ａに像を結像可能な結像光学系として機能するものである。本実施形態では、第１照明光源２１から照射された可視光Ｌｆ１や第２照明光源２２から照射された紫外光Ｌｆ２に応じて情報コード等から反射された反射光Ｌｒを結像レンズ２５で集光し、受光センサ２３の受光面２３ａにコード像を結像させている。
【００３０】
マイコン系は、増幅回路３１、Ａ／Ｄ変換回路３３、メモリ３５、アドレス発生回路３６、同期信号発生回路３８、制御部４０、トリガースイッチ４２、発光部４３、ブザー４４、バイブレータ４５、検知部４６、通信インタフェース４８等から構成されている。
【００３１】
光学系の受光センサ２３から出力される画像信号（アナログ信号）は、増幅回路３１に入力されることで所定ゲインで増幅され、その後、Ａ／Ｄ変換回路３３に入力されてアナログ信号からディジタル信号に変換される。そして、ディジタル化された画像信号、つまり画像データ（画像情報）は、ＲＯＭ、ＲＡＭなどの公知の記憶媒体によって構成されたメモリ３５に入力され、所定の格納領域に蓄積される。なお、同期信号発生回路３８は、受光センサ２３およびアドレス発生回路３６に対する同期信号を発生可能に構成されており、またアドレス発生回路３６は、この同期信号発生回路３８から供給される同期信号に基づいて、メモリ３５に格納される画像データの格納アドレスを発生可能に構成されている。
【００３２】
制御部４０は、光学的情報読取装置１０全体を制御可能なマイコンで、ＣＰＵ、システムバス、入出力インタフェース等からなるもので、メモリ３５とともに情報処理装置を構成し得るもので情報処理機能を有する。この制御部４０は、受光センサ２３の受光結果に基づいて生成される撮像画像に含まれる情報コードのコード画像を公知のデコード方法で解読（デコード）するように機能する。また、制御部４０は、第１照明光源２１及び第２照明光源２２を制御し、可視光Ｌｆ１の照射タイミングや紫外光Ｌｆ２の照射タイミング等を制御する照明制御部として機能する。
【００３３】
また、制御部４０は、内蔵された入出力インタフェースを介して種々の入出力装置と接続可能に構成されており、本実施形態の場合、トリガースイッチ４２、発光部４３、ブザー４４、バイブレータ４５、検知部４６、通信インタフェース４８等が接続されている。これにより、例えば、トリガースイッチ４２の監視や管理、発光部４３の点灯、非点灯、ビープ音やアラーム音を発生可能なブザー４４の鳴動のオンオフ、バイブレータ４５の駆動制御、通信インタフェース４８の制御等を可能にしている。
【００３４】
検知部４６は、先端部１４ａが平面等に面接触している環状接触状態していることから環状壁部１４とその平面等とにより上記閉鎖空間Ｓが構成されているか否かを検知する機能を有するもので、一対の接触センサ４６ａ，４６ｂを備えている。接触センサ４６ａは、先端部１４ａの上端に設けられており、先端部１４ａの上端が平面等に面接触したときに押圧されるスイッチとして構成され、その接触に応じた検知信号を制御部４０に出力するように機能する。また、接触センサ４６ｂは、先端部１４ａの下端に設けられており、先端部１４ａの下端が平面等に面接触したときに押圧されるスイッチとして構成され、その接触に応じた検知信号を制御部４０に出力するように機能する。
【００３５】
このため、図３に示すように、先端部１４ａの上端と先端部１４ａの下端との双方が平面等に面接触するように先端部１４ａ全体が平面等に面接触する環状接触状態であることから閉鎖空間Ｓが構成されていると、一対の接触センサ４６ａ，４６ｂのそれぞれから検知信号が制御部４０に出力される。これらの検知信号を受信した制御部４０は、閉鎖空間Ｓが構成されていることを知得する。
【００３６】
一方、先端部１４ａの上端が平面等に接触し先端部１４ａの下端が平面等に接触していない場合には、一対の接触センサ４６ａのみから検知信号が出力され、先端部１４ａの下端が平面等に接触し先端部１４ａの上端が平面等に接触していない場合には、一対の接触センサ４６ｂのみから検知信号が出力される。これらのような場合には、制御部４０は、閉鎖空間Ｓが構成されていないことを知得する。
【００３７】
次に、表示媒体の表示面Ｒに設けられる紫外線読取情報Ｕを読み取るために制御部４０にてなされる読取処理について説明する。
本実施形態では、通常環境下（可視光照射環境下）では人の目で視認できず、紫外光Ｌｆ２を照射しその反射光を受光することで読み取り可能となる紫外線読取情報Ｕを利用した所定の処理を行う。なお、所定の処理とは、例えば、紫外線読取情報Ｕが読み取れた場合にその紫外線読取情報Ｕが付された表示媒体を正規品として認証する真偽判定処理等が想定される。また、紫外線読取情報Ｕは、例えば、紫外光Ｌｆ２を照射したときにこの紫外光Ｌｆ２と同じ波長帯の光で所定の情報が記録される情報コードの像が形成されるように構成されてもよい。また、紫外線読取情報Ｕは、例えば、波長２６０ｎｍの紫外光Ｌｆ２を照射したときにこの紫外光Ｌｆ２と異なる波長帯の光（例えば、３３０ｎｍの紫外光）で情報コードの像が形成されるように構成されてもよい。
【００３８】
一方、第２照明光源２２から読取口１３を介して照射される紫外光Ｌｆ２は、人体に照射されると悪影響を与える可能性がある。このため、上述のように環状壁部１４を利用して閉鎖空間Ｓが構成されてその閉鎖空間Ｓ内に紫外線読取情報Ｕが位置している場合に限り、第２照明光源２２から紫外光Ｌｆ２を照射可能に制限する必要がある。
【００３９】
そこで、本実施形態では、図５に示すように、紫外線読取情報Ｕが設けられる表示媒体の表示面Ｒに、紫外光Ｌｆ２の照射を許可するための許可情報が記録される情報コードＣが紫外線読取情報Ｕとともに枠線Ｆに囲われた状態で表示される。ここで、枠線Ｆは、環状壁部１４の先端部１４ａが表示面Ｒに環状に面接触したときの接触面の外縁に沿う形状に形成されている。このため、枠線Ｆに沿うように先端部１４ａを表示面Ｒに面接触させた環状接触状態となることで、表示面Ｒと環状壁部１４とにより構成された閉鎖空間Ｓ内に紫外線読取情報Ｕと情報コードＣとが位置することとなる。すなわち、枠線Ｆは、紫外線読取情報Ｕと情報コードＣとを囲んで覆うように閉鎖空間Ｓを構成する際のガイドとして機能する。なお、図５及び後述する図９では、便宜上、紫外線読取情報Ｕを、その位置を示す破線枠にて図示している。
【００４０】
そして、先端部１４ａに設けられる一対の接触センサ４６ａ，４６ｂからそれぞれ検知信号が受信され、情報コードＣの解読結果に上記許可情報が含まれることで、閉鎖空間Ｓが構成されている状態でその閉鎖空間Ｓ内に紫外線読取情報Ｕが位置しているとして、紫外光Ｌｆ２を照射可能な状態とする。
【００４１】
以下、制御部４０により行われる読取処理について、図６に示すフローチャートを参照して詳述する。
トリガースイッチ４２の操作等に応じて制御部４０により読取処理が開始されると、図６のステップＳ１０１の判定処理がなされ、環状接触状態であるか否かについて判定される。ここで、一対の接触センサ４６ａ，４６ｂからそれぞれ検知信号を受信していないか、いずれか一方のみから検知信号を受信している場合には、環状接触状態でなく閉鎖空間Ｓが構成されていないと判定されて（Ｓ１０１でＮｏ）、本読取処理が終了する。なお、先端部１４ａが表示面Ｒに環状に接触する環状接触状態であるか否かについて上記判定処理を行う制御部４０は、「第１判定部」の一例に相当し得る。
【００４２】
一方、一対の接触センサ４６ａ，４６ｂからそれぞれ検知信号を受信していることから環状接触状態であり、閉鎖空間Ｓが構成されていると判定されると（Ｓ１０１でＹｅｓ）、ステップＳ１０３に示す可視光照射処理がなされ、閉鎖空間Ｓに向けて、第１照明光源２１から読取口１３を介して可視光Ｌｆ１が照射される。そして、この可視光Ｌｆ１が照射された状態で撮像処理がなされ（Ｓ１０５）、その撮像画像に対する情報コードの解読処理がなされる（Ｓ１０７）。ここで、閉鎖空間Ｓ内に解読可能な情報コードがない場合には、解読が失敗して（Ｓ１０９でＮｏ）、本読取処理が終了する。また、閉鎖空間Ｓ内に解読可能な情報コードがあることから解読が成功しても（Ｓ１０９でＹｅｓ）、その解読結果に上記許可情報が含まれていない場合には（Ｓ１１１でＮｏ）、本読取処理が終了する。なお、情報コードの解読処理を行う制御部４０は、「解読部」の一例に相当し得る。
【００４３】
これに対して、表示面Ｒの枠線Ｆに沿うように先端部１４ａを表示面Ｒに面接触させるようにして閉鎖空間Ｓが構成された状態でトリガースイッチ４２が操作されていると、情報コードＣの解読に成功し（Ｓ１０９でＹｅｓ）、その解読結果に上記許可情報が含まれる（Ｓ１１１でＹｅｓ）。この場合には、閉鎖空間Ｓが構成されている状態でその閉鎖空間Ｓ内に情報コードＣ及び紫外線読取情報Ｕが位置していると判断される。なお、情報コードＣの解読が成功しているか否かについて上記判定処理を行う制御部４０は、「第２判定部」の一例に相当し得る。
【００４４】
この場合には、ステップＳ１１３に示す紫外光照射処理がなされ、閉鎖空間Ｓに向けて、第２照明光源２２から読取口１３を介して紫外光Ｌｆ２が照射される。そして、この紫外光Ｌｆ２が照射された状態で撮像処理がなされ（Ｓ１１５）、その撮像画像に含まれる紫外線読取情報Ｕを利用した上記所定の処理がなされる（Ｓ１１７）。なお、紫外線読取情報Ｕを利用した上記所定の処理を行う制御部４０は、「処理部」の一例に相当し得る。
【００４５】
以上説明したように、本実施形態に係る光学的情報読取装置１０では、読取口１３を介して可視光Ｌｆ１を照射可能な第１照明光源２１と紫外光Ｌｆ２を照射可能な第２照明光源２２とが筐体１１内に配置されている。筐体１１には、読取口１３を囲い、当該読取口１３を情報コードＣに近づけたときに表示媒体の表示面Ｒに対して先端部１４ａにて環状に接触可能な環状壁部１４が設けられている。そして、先端部１４ａが表示面Ｒに環状に接触する環状接触状態であると判定されるとともに（Ｓ１０１でＹｅｓ）、情報コードＣの解読が成功していると判定されて（Ｓ１０９でＹｅｓ）、上記許可情報が取得されると、制御部４０により第２照明光源２２が制御されて紫外光Ｌｆ２が照射される。
【００４６】
これにより、環状壁部１４の先端部１４ａが表示媒体の表示面Ｒに環状に接触し、かつ、情報コードＣの解読が成功する場合、すなわち、読み取り成功した情報コードＣが環状壁部１４により完全に覆われた状態である場合に限り、紫外光Ｌｆ２が照射されるので、紫外光Ｌｆ２が環状壁部１４により構成される閉鎖空間Ｓから漏れることはない。例えば、表示媒体と異なる媒体等に環状壁部１４の先端部１４ａが環状に接触しても情報コードＣが解読されない場合には、環状壁部１４により上記閉鎖空間Ｓが構成されていない可能性があるとして、紫外光Ｌｆ２が照射されることはない。また、読取口１３を情報コードＣに近づけている途中でその情報コードＣの解読が成功したとしても、環状壁部１４の先端部１４ａが表示媒体の表示面Ｒに環状に接触していない場合には、環状壁部１４により上記閉鎖空間Ｓが構成されていない可能性があるとして、紫外光Ｌｆ２が照射されることはない。したがって、可視光Ｌｆ１の波長帯とは異なる紫外光Ｌｆ２のような第２の波長帯の光を利用する際、その第２の波長帯の光が人体に悪影響を与える可能性があっても、その第２の波長帯の光を上記閉鎖空間Ｓを利用して外部に漏らすことなく照射可能な光学的情報読取装置を実現することができる。
【００４７】
特に、環状接触状態であると判定された後に（Ｓ１０１でＹｅｓ）、情報コードＣの解読が成功していると判定されて（Ｓ１０９でＹｅｓ）、上記許可情報が取得されると、制御部４０により第２照明光源２２が制御されて紫外光Ｌｆ２が照射される。
【００４８】
これにより、表示媒体の表示面Ｒに環状壁部１４の先端部１４ａが環状に接触している状態で情報コードＣの解読成否が判定されるため、情報コードＣの解読が成功している場合には、その解読成功した情報コードＣが上述のように構成される閉鎖空間Ｓ内に確実に位置していると判断できるので、その状態で紫外光Ｌｆ２が照射されたとしても、その紫外光Ｌｆ２を外部に漏れることを確実に防止することができる。なお、利用環境等によっては、情報コードＣの解読が成功していると判定された後に、環状接触状態であるか否かについて判定するようにしてもよい。
【００４９】
さらに、制御部４０により行われる読取処理では、先端部１４ａに設けられて環状接触状態時に表示媒体の表示面Ｒとの接触を検知する一対の接触センサ４６ａ，４６ｂの検知結果に基づいて、上記環状接触状態であるか否かについて判定する。これにより、先端部１４ａと表示媒体の表示面Ｒとの接触状態をより精度良く検知でき、環状接触状態の判定精度を高めることができる。
【００５０】
なお、検知部４６は、先端部１４ａの上端に設けられる接触センサ４６ａと先端部１４ａの下端に設けられる接触センサ４６ｂとを備えるように構成されることに限らず、例えば、先端部１４ａの右端に設けられる接触センサと先端部１４ａの左端に設けられる接触センサとを備えるように構成されてもよく、先端部１４ａの３か所以上に設けられる接触センサを備えるように構成されてもよい。
【００５１】
また、情報コードＣには、第２照明光源２２による紫外光Ｌｆ２の照射を許可する許可情報が記録されており、上記ステップＳ１０１の判定処理にて環状接触状態であると判定されるとともに、上記ステップＳ１１１の判定処理にて情報コードＣの解読が成功することで上記許可情報が取得されたと判定されると、制御部４０により第２照明光源２２が制御されて紫外光Ｌｆ２が照射される。
【００５２】
これにより、制御部４０により上記所定の処理を行わせるきっかけとなる情報コードＣのみに上記許可情報を記録することで、上記閉鎖空間Ｓを構成した状態にて許可情報が記録されていない他の情報コードを読み取っても、紫外光Ｌｆ２が照射されることはないので、不要な紫外光Ｌｆ２の照射を防止することができる。
【００５３】
［第２実施形態］
次に、本第２実施形態に係る光学的情報読取装置について、図面を参照して説明する。
本第２実施形態では、検知部４６として一対の接触センサ４６ａ，４６ｂに代えて、距離センサ４６ｃが設けられる点が、上記第１実施形態と主に異なる。
【００５４】
本実施形態では、図７に示すように、環状壁部１４には、先端部１４ａを平面等に対して環状に面接触させた環状接触状態時にその平面等までの距離を測定可能な距離センサ４６ｃが設けられている。この距離センサ４６ｃは、公知のレーザ光線式距離センサであって、距離測定用のレーザ光の発光から平面等からの反射光の受光までの時間差を利用して平面等までの距離を測定するように構成されている。このため、環状接触状態時に距離センサ４６ｃにて測定されるべき所定の距離基準値がメモリ３５に予め記憶されている。
【００５５】
そして、本実施形態における読取処理では、上記ステップＳ１０１の判定処理にて、距離センサ４６ｃにて測定された距離がメモリ３５に記憶される上記所定の距離基準値に一致するとみなされる場合に、環状接触状態であると判定する。
【００５６】
このように、環状壁部１４に設けられて表示媒体の表示面Ｒまでの距離を測定する距離センサ４６ｃの測定結果に基づいて、上記環状接触状態であるか否かについて判定することで、上記所定の距離基準値を基準として先端部１４ａと表示媒体の表示面Ｒとの接触状態をより精度良く検知でき、上記第１実施形態と同様の効果を奏する。
【００５７】
なお、検知部４６が備える距離センサ４６ｃは、上述したようにレーザ光線式距離センサとして構成されることに限らず、例えば、公知の超音波式距離センサ等として構成されてもよい。
【００５８】
［第３実施形態］
次に、本第３実施形態に係る光学的情報読取装置について、図面を参照して説明する。
本第３実施形態では、検知部４６を廃止し、撮像画像に占める情報コードＣの大きさ又は当該情報コードＣを構成するセルの大きさに基づいて、上記環状接触状態であるか否かについて判定する点が、上記第１実施形態と主に異なる。
【００５９】
撮像画像に占める情報コードＣやそのセルの大きさはその情報コードＣまでの距離が近くなるほど大きくなるので、情報コードＣやそのセルの実際の大きさが分かっていれば、その情報コードＣまでの距離を推定することができる。このため、情報コードＣに含まれるバージョン情報等を利用してその情報コードＣやセルの実際の大きさを把握することで、撮像画像に占める情報コードＣの大きさ又はセルの大きさからその情報コードＣまでの距離が推定され、この推定された情報コードＣまでの距離に基づいて、先端部１４ａと表示媒体の表示面Ｒとが環状接触状態であるか否かを判定することができる。
【００６０】
そこで、本実施形態では、環状接触状態時に情報コードＣを撮像したときの撮像画像に占める情報コードＣの大きさに関する値がコード基準値としてメモリ３５に予め記憶されている。
【００６１】
そして、読取処理では、図８に示すフローチャートのように、トリガースイッチ４２の操作等に応じて制御部４０により読取処理が開始されると、まず、可視光Ｌｆ１が照射され（図８のＳ１１９）、の可視光Ｌｆ１が照射された状態で撮像処理がなされる（Ｓ１１９）。そして、ステップＳ１０１ａの判定処理にて、その撮像画像に含まれる情報コードＣの大きさが、メモリ３５に予め記憶されるコード基準値に一致するとみなされるか否かに判定される。
【００６２】
ここで、撮像画像に情報コードＣが含まれていないか、撮像画像に含まれる情報コードＣの大きさが上記コード基準値に一致するとみなされない場合には、環状接触状態でなく閉鎖空間Ｓが構成されていないと判定されて（Ｓ１０１ａでＮｏ）、本読取処理が終了する。
【００６３】
一方、撮像画像に含まれる情報コードＣの大きさが上記コード基準値に一致するとみなされる場合には、環状接触状態であり閉鎖空間Ｓが構成されていると判定されて（Ｓ１０１ａでＹｅｓ）、上記ステップＳ１０３以降の処理がなされる。
【００６４】
このように、撮像画像に占める情報コードＣの大きさに基づいて、上記環状接触状態であるか否かについて判定することでも、先端部１４ａと表示媒体の表示面Ｒとの接触状態をより精度良く検知でき、上記第１実施形態と同様の効果を奏する。特に、接触センサや距離センサ等の専用のセンサを別途設けることなく、上記環状接触状態であるか否かについて判定することができ、部品点数の削減等を図ることができる。
【００６５】
なお、環状接触状態時に情報コードＣを撮像したときの撮像画像に占める情報コードＣを構成する各セルの大きさに関する値がセル基準値としてメモリ３５に予め記憶されていることを前提に、その撮像画像に含まれる情報コードＣを構成する各セルの大きさがセル基準値に一致するとみなされる場合に、上記環状接触状態であると判定してもよい。また、コード基準値やセル基準値は、予めメモリ３５に記憶されることに限らず、情報コードＣに含まれるバージョン情報等を利用してその解読毎に求められてもよい。
【００６６】
［第４実施形態］
次に、本第４実施形態に係る光学的情報読取装置について、図面を参照して説明する。
本第４実施形態では、情報コードＣに対する紫外線読取情報Ｕの位置を変更する点が、上記第１実施形態と主に異なる。
【００６７】
本実施形態に係る情報コードＣａは、図９に示すように、方形状となる所定のコード領域Ｃｂの内部に明色セル及び暗色セルを配列して構成され、コード領域Ｃｂの内部に、予め定められた形状の特定パターンが配置される特定パターン領域Ｃｃと、複数の明色セル及び暗色セルによって所定の情報が記録される情報記録領域Ｃｄと、明色セル及び暗色セルによって情報が記録されない空き領域Ｃｅとが設けられるように、表示媒体の表示面Ｒに表示される。なお、特定パターン領域Ｃｃとしては、例えば、位置検出パターンやアライメントパターン、タイミングパターン等が想定される。
【００６８】
そして、紫外線読取情報Ｕは、情報コードＣａの空き領域Ｃｅ内に配置される。すなわち、情報コードＣａを撮像範囲内とすると、その空き領域Ｃｅ内に配置される紫外線読取情報Ｕも撮像範囲内となる。
【００６９】
このため、上記読取処理では、紫外光Ｌｆ２が照射された状態で撮像されると（Ｓ１１５）、この撮像画像のうち空き領域Ｃｅ内にて撮像される紫外線読取情報Ｕを利用して所定の処理を行う。
【００７０】
これにより、上記閉鎖空間Ｓが構成される場合には、紫外光Ｌｆ２が照射された状態での撮像される撮像画像には確実に紫外線読取情報Ｕが含まれる。このため、紫外線読取情報Ｕが視認できないような情報等であっても、上記環状接触状態では紫外線読取情報Ｕを確実に撮像範囲とすることができる。
【００７１】
なお、本発明は上記各実施形態及び変形例等に限定されるものではなく、例えば、以下のように具体化してもよい。
（１）上記読取処理では、検知部４６の接触センサ４６ａ，４６ｂの検知結果や距離センサ４６ｃの測定結果、撮像画像に占める情報コードＣの大きさ又は当該情報コードＣを構成するセルの大きさに基づいて、上記環状接触状態であるか否かについて判定することに限らず、例えば、閉鎖空間Ｓに相当する範囲の明るさを検知してこの検知結果に基づいて上記環状接触状態であるか否かについて判定してもよい。
【００７２】
（２）第２照明光源２２から読取口１３を介して照射される第２波長帯の光は、紫外光に限らず、可視光と異なる他の波長帯の光であってもよい。このような他の波長帯の光であっても、その光が紫外光と同様に人体に悪影響を与える可能性がある場合でも、上記閉鎖空間Ｓを利用することでその第２波長帯の光を外部に漏らすことなく照射することができる。
【００７３】
（３）本発明は、筐体１１がガンタイプとしての外観をなす読取装置に適用されることに限らず、読取口１３が環状壁部１４に囲われる読取装置であれば適用することができる。
【符号の説明】
【００７４】
１０…光学的情報読取装置
１１…筐体
１３…読取口
１４…環状壁部
１４ａ…先端部
２１…第１照明光源（第１照明部）
２２…第２照明光源（第２照明部）
２３…受光センサ（撮像部）
４０…制御部（照明制御部，解読部，処理部，第１判定部，第２判定部）
４６…検知部
４６ａ，４６ｂ…接触センサ
４６ｃ…距離センサ
Ｃ，Ｃａ…情報コード
Ｌｆ１…可視光（第１波長帯の光）
Ｌｆ２…紫外光（第２波長帯の光）
Ｒ…表示面（表示媒体）
Ｓ…閉鎖空間
【図１】
2019053454.tif 000003
【図２】
2019053454.tif 000004
【図３】
2019053454.tif 000005
【図４】
2019053454.tif 000006
【図５】
2019053454.tif 000007
【図６】
2019053454.tif 000008
【図７】
2019053454.tif 000009
【図８】
2019053454.tif 000010
【図９】
2019053454.tif 000011